(57)【要約】【課題】スベリ接触とし、構造を簡単にし、予圧をマグネットの最適な磁気吸引力を用いて構成した超薄型軸受構造の提供。【解決手段】  ベース２に固着起立させた円柱状のシャフト１の外周面に沿って、管状のスリーブ３を回転自在に挿通してスベリ接触とし、ラジアル方向のギャップを極少にすると共に、前記ベース２との間で磁気吸引する環状のマグネット５を備え、かつ前記スリーブ３を中心部に有する環状のハウジング４の上部中心位置の円孔６内にスラストボール７を固定してシャフト１の上面で支持させて、スラスト方向に予圧を与えてスラストギャップを無くすことができるようにして成ることを特徴とする超薄型軸受構造。【選択図】        図１
2005337319.tif 000002
【特許請求の範囲】
【請求項１】
ベースに固着起立させた円柱状のシャフトの外周面に沿って、管状のスリーブを回転自在に挿通してスベリ接触とし、ラジアル方向のギャップを極少にすると共に、前記ベースとの間で磁気吸引する環状のマグネットを備え、かつ前記スリーブを中心部に有する環状のハウジングの上部中心位置の円孔内にスラストボールを固定してシャフトの上面で支持させて、スラスト方向に予圧を与えてスラストギャップを無くすことができるようにして成ることを特徴とする超薄型軸受構造。
【請求項２】
シャフトは、上部および下部に同一径の外方へ突出したスベリ軸受部として形成して成ることを特徴とする請求項１記載の超薄型軸受構造。
【請求項３】
マグネットは、ハウジングの最下部でスリーブの外周に設け、シャフトを起立固定したベースとの間隔を介して磁気吸引力を直接働かせてスラストボールをシャフトに押し付け、予圧を与えてスラストギャップを無くすことができるようにして成ることを特徴とする請求項１記載の超薄型軸受構造。
【請求項４】
シャフトとハウジングとは、いずれか一方を固定し、他方を回転可能とすることを特徴とする請求項１記載の超薄型軸受構造。
【発明の詳細な説明】
【技術分野】
【０００１】
この発明は、例えばＨＤＤ等に用いられるＶＣＭ（ボイスコイルモータ）等の磁気ヘッドを備えた可動片の軸受として使用するための小型、薄型化が要求される超薄型軸受構造に関する。
【背景技術】
【０００２】
この種の軸受構造は、従来、専らボールベアリングを用いたものが一般的である（例えば、特許文献１，２および特許文献３参照）。
【特許文献１】特許第３２４３１２１号明細書
【特許文献２】特開２００１−４３６５８号公報
【特許文献３】特開平９−３２４８１８号公報
【発明の開示】
【発明が解決しようとする課題】
【０００３】
このようなボールベアリング構造のものにあっては、高精度を保持するためには、構造上超小型が不可能であって、外径の大きさも、せいぜい５ｍｍ〜６ｍｍ程度が限界であり、それ以下の小型化は、全く実現不可能であった。
【０００４】
このような課題に対して、本出願人は、先きの出願の特開２００３−１２０６６３号公報および特願２００３−３２０１号において、ボールベアリングレスの超小型が可能の軸受構造を提案した。
【０００５】
この発明も、先きの特許出願と同一の課題の下になされたもので、従来のボールベアリング構造では、予圧を小さくできず、軸損を小さくするのにも限界があった。殊にスラストギャップを無くして、中心軸（シャフト）を中心として相対的回転するハウジングの位置精度を向上し、かつ振動、衝撃等にも耐久性の優れた超薄型軸受構造を提供することを目的とする。
【課題を解決するための手段】
【０００６】
この発明は、以下の構成を備えることにより、上記課題を解決できる。
【０００７】
（１）ベースに固着起立させた円柱状のシャフトの外周面に沿って、管状のスリーブを回転自在に挿通してスベリ接触とし、ラジアル方向のギャップを極少にすると共に、前記ベースとの間で磁気吸引する環状のマグネットを備え、かつ前記スリーブを中心部に有する環状のハウジングの上部中心位置の円孔内にスラストボールを固定してシャフトの上面で支持させて、スラスト方向に予圧を与えてスラストギャップを無くすことができるようにして成ることを特徴とする超薄型軸受構造。
【０００８】
（２）シャフトは、上部および下部に同一径の外方へ突出したスベリ軸受部として形成して成ることを特徴とする前記（１）記載の超薄型軸受構造。
【０００９】
（３）マグネットは、ハウジングの最下部でスリーブの外周に設け、シャフトを起立固定したベースとの間隔を介して磁気吸引力を直接働かせてスラストボールをシャフトに押し付け、予圧を与えてスラストギャップを無くすことができるようにして成ることを特徴とする前記（１）記載の超薄型軸受構造。
【００１０】
（４）シャフトとハウジングとは、いずれか一方を固定し、他方を回転可能とすることを特徴とする前記（１）記載の超薄型軸受構造。
【発明の効果】
【００１１】
この発明によれば、シャフトに対しラジアル方向は、ハウジングに固定したスリーブをシャフトに挿入して、ベアリング等を介装していないのでスリーブとシャフトとのギャップを極少にすることができると共に、スラスト方向はハウジングに固定したスラストボールをシャフトの上面に点的に接触させ、ハウジングに固定したマグネットと、間隔を介して直接ベースとの間で作用する最適値の磁気吸引力によりハウジングを有効にベース側に押しつけることができるので、全体の構造を薄く形成できる。
【００１２】
さらにスラスト方向には、マグネットの磁気吸引力によりハウジングをベース側に押しつけて、シャフトには最適値の予圧を与えることができるので、スラストギャップを無くして軸損を少なくできると共に、この予圧を与えることにより、ハウジングの位置精度が良くなり、振動，衝撃等にも強くすることができる。
【発明を実施するための最良の形態】
【００１３】
以下本発明を実施するための最良の形態を、実施例により詳しく説明する。
【実施例】
【００１４】
以下に、この発明の一実施例の形態を図面について説明する。
【００１５】
なお、この実施例は、シャフトを所望の固定側に固着起立させた非回転とする場合を示している。
【００１６】
図において、１は、所望の磁性材料より成るベース２に固着起立させた円柱状のシャフトを示し、かつ上部と下部には同一径で外方へ突出したスベリ軸受部１ａ，１ｂを備えている。なお、シャフト１の外周面全域をスベリ軸受部として用いることもできる。３は、前記シャフト１の外周に回転自在に挿嵌される管状のスリーブ、４は前記管状のスリーブ３を中心内周に備え、かつ下部に環状のマグネット５を配設した環状のハウジングであって、このハウジング４の上部中心に円孔６が開孔され、この円孔６内に球状のスラストボール７が圧入固着されている。
【００１７】
そして、上記ハウジング４は、上部中心に配設したスラストボール７の球面下部が上記シャフト１の上面１Ａ上の中心一点Ｐで、点接触で支持されると共に、スリーブ３がシャフト１の外周にスベリ軸受部として配置組み合わされると共に、ハウジング４に設けられたマグネット５が、微少な間隔を介して形成されるベース２に対して磁気吸引力の有効な働きによりギャップを無くしてシャフト１に対して最適値の下に予圧を与えることとなり、軸損を著しく少なく出来るのみならず、軸受全体の構造を薄型に形成でき、かつハウジングの位置精度の向上、さらには振動，衝撃等にも耐久性のある軸受の提供が可能となるものである。
【００１８】
なお、図において、８は、ハウジング４に設けた他の部材を取付けるためのネジ部、９はカバーを示し、下部のベース２と軸などの止構造（図示せず）で固着される。
【００１９】
つぎに、上記実施例に基づく超薄型軸受の組立過程を簡単に説明する。
【００２０】
まず、シャフト１をベース２に治具を用いて位置決めして接着などで固着する。
【００２１】
つぎに、予め加工形成したハウジング４の上面の円孔６内にスラストボール７を圧入して一体にし、位置決めすると共に、マグネット５をハウジング４の下部に接着等で固着し、さらに中心部にスリーブ３を同様に接着等で固着する。
【００２２】
ついで、シャフト１の上部にオイル（図示せず）を注油し、シャフト１にハウジング４を挿入する。
【００２３】
そして、最後にカバー９をベース２にネジ止めなどの止構造で遮蔽固定して、求める超薄型軸受構造を得ることができる。
【００２４】
以上の実施例は、一般的で共通的な構成しか記載していないが、例えばＨＤＤのＶＣＭの軸受の場合では、前記ハウジング４を回転部分としてこのハウジング４のネジ部８を利用して固着されるアーム（図示せず）を、ＶＣＭのリニア的な作動に応じて、この薄型軸受構造をそのまま利用して回転させることができる。
【図面の簡単な説明】
【００２５】
【図１】この発明の一実施例を示す超薄型軸受構造の縦断面図で、構造を分かり易く明確にするため、可成り誇張して拡大してある。
【符号の説明】
【００２６】
１  シャフト
１ａ，１ｂ  スベリ軸受部
２  ベース
３  スリーブ
４  ハウジング
５  マグネット
６  円孔
７  スラストボール
８  ネジ部
９  カバー
【図１】
2005337319.tif 000003